(57)【特許請求の範囲】
【請求項１】
情報処理装置本体と、
前記情報処理装置本体に電源を供給するバッテリと、前記バッテリの正極端子に接続された正極接続部と、前記バッテリの負極端子に接続された負極接続部と、前記正極接続部に一方が接続され他方が前記正極接続部から前記負極接続部の方向に伸びた正極給電線と、前記負極接続部に一方が接続され他方が前記負極接続部から前記正極接続部の方向に伸びた負極給電線とを収納したバッテリパックと、
前記バッテリパックの前記正極給電線の他方に接続するための正極給電端子と、
前記バッテリパックの前記負極給電線の他方に接続するための負極給電端子と、
前記バッテリパックを前記情報処理装置本体に接続した状態で、前記バッテリパック
前記正極接続部に一方が接続された第１の容量性素子と、
前記バッテリパックを前記情報処理装置本体に接続した状態で、前記バッテリパック
前記負極接続部に一方が接続された第２の容量性素子とを備え、
前記第１の容量性素子の他方及び前記第２の容量性素子の他方は、前記情報処理装置本体のグランドと電気的に接続されることを特徴とするバッテリパック付き情報処理装置。
【請求項２】
情報処理装置に取り付け可能なバッテリパックにおいて、
前記情報処理装置に電源を供給するバッテリと、
前記バッテリの正極端子に接続された正極接続部と、
前記バッテリの負極端子に接続された負極接続部と、
前記正極接続部に一方が接続され他方が前記正極接続部から前記負極接続部の方向に伸びた正極給電線と、
前記負極接続部に一方が接続され他方が前記負極接続部から前記正極接続部の方向に伸びた負極給電線とを備え、
前記正極給電線の他方及び前記負極給電線の他方は、前記情報処理装置の給電端子に接
続され、
前記正極接続部及び前記負極接続部は、前記情報処理装置のグランドと容量性素子を介して電気的に接続されることを特徴とするバッテリパック。
【請求項３】
情報処理装置本体と、
前記情報処理装置本体に電源を供給するバッテリと、前記バッテリの正極端子に接続された正極接続部と、前記バッテリの負極端子に接続された負極接続部と、前記正極接続部に一方が接続され他方が前記正極接続部から前記負極接続部の方向に伸びた正極給電線と、前記負極接続部に一方が接続され他方が前記負極接続部から前記正極接続部の方向に伸びた負極給電線と、前記正極接続部に一方が接続された第１の容量性素子と、前記負極接続部に一方が接続された第２の容量性素子とを収納したバッテリパックと、
前記バッテリパックの前記正極給電線に接続するための正極給電端子と、
前記バッテリパックの前記負極給電線に接続するための負極給電端子と、
前記バッテリパックの前記第１の容量性素子の他方と前記バッテリパックの前記第２の容量性素子の他方に接続するための接続端子とを備え、
前記接続端子は、前記情報処理本体のグランドと電気的に接続されることを特徴とするバッテリパック付き情報処理装置。
【請求項４】
情報処理装置に取り付け可能なバッテリパックにおいて、
前記情報処理装置に電源を供給するバッテリと、
前記バッテリの正極端子に接続された正極接続部と、
前記バッテリの負極端子に接続された負極接続部と、
前記正極接続部に一方が接続され他方が前記正極接続部から前記負極接続部の方向に伸びた正極給電線と、
前記負極接続部に一方が接続され他方が前記負極接続部から前記正極接続部の方向に伸びた負極給電線と、
前記正極接続部に一方が接続された第１の容量性素子と、
前記負極接続部に一方が接続された第２の容量性素子とを備え、
前記正極給電線の他方及び前記負極給電線の他方は、前記情報処理装置の給電端子に接続され、
前記第１の容量性素子の他方と前記第２の容量性素子の他方は、前記情報処理装置のグランドと電気的に接続されることを特徴とするバッテリパック。
【発明の詳細な説明】
【０００１】
【発明の属する技術分野】
本発明はバッテリで動作可能な情報処理装置に関し、特にノートパソコンのバッテリの実装構造及び給電構造に関する。
【０００２】
【従来の技術】
ノートパソコンにおいては、例えば、特開平５−１４３１９２に記載されたノート型コンピュータ装置のように、充電可能な２次電池（以下バッテリと言う）で構成されたバッテリパックを本体に装着して使用するものがある。バッテリパックは、ノートパソコン本体と着脱可能な物が多く、操作者の誤った取り扱いによる給電線の＋線あるいは−線のどちらか一方のみが接続されてしまうといった半挿入という状態を避けるため、２本の給電端子の距離を出来るだけ短くして、ノートパソコン本体と接続する構成になっている。
【０００３】
【発明が解決しようとする課題】
このようなバッテリパック５０を、＋極の端子の反対側に−極の端子を持つバッテリで構成した場合、図１２に示すように、バッテリ５6の両端から＋線５４と−線５３の給電線を出さなければならない。
【０００４】
このような構造の場合、ノートパソコン本体に電流を供給するための供給端子５７からバッテリ端子５１、５２のインピーダンスは給端子５７で最も低くなり、バッテリ端子５１、５２で最も高くなる。このため、ノートパソコン本体５８側のLSIや信号線から発生したノイズが高周波電流としてバッテリパック内の給電線５３、５４に伝わると、バッテリ端子５１、５２部分で反射が起こり、この反射波と入射波の重ね合わせにより、１/２波長を給電線の長さＬ５５とするの定在波が発生する（図１３）。このため、この給電線５３、５４がアンテナとして機能し、外部にノイズを放射しやすい。
【０００５】
本発明の目的は、定在波の発生を抑え、放射ノイズが少ないバッテリで動作可能な情報処理装置を提供することにある。
【０００６】
【課題を解決するための手段】
上記目的を達成するために、本発明は、情報処理装置本体に電源を供給するバッテリを収納したバッテリパックを接続するための手段を備えた情報処理装置において、バッテリパックを情報処理装置本体に接続した状態で、バッテリの正極の端子と負極の端子の近傍に、少なくとも一つの容量性素子（具体的には例えばコンデンサ）を実装する。さらに、この容量性素子を介して、バッテリの正極の端子と負極の端子の少なくとも一方を情報処理装置のグランドと電気的に接続する。
【０００７】
さらに、バッテリの負極の端子と情報処理装置のグランドは容量性素子を介さずに接続することでも構成できる。
【０００８】
また、本発明はバッテリの正極の端子又は負極の端子と情報処理装置本体のグランドを電気的に接続するための手段を、正極端子と負極端子の少なくとも一方の近傍に備えたバッテリパックを提供する。
【０００９】
さらに、バッテリの正極の端子と負極の端子を端子間に容量性素子を備え、容量性素子でバッテリの正極の端子と負極の端子を電気的に接続しても構成できる。
【００１０】
また、本発明は少なくとも一つの容量性素子と、バッテリの正極の端子と電気的に接続する手段とバッテリの負極の端子と電気的に接続する手段の少なくとも一方を備え、電気的に接続する手段は、容量性素子を介してグランドと電気的に接続する情報処理装置を提供する。
【００１１】
さらに、バッテリの負極の端子と電気的に接続する手段は、容量性素子を介さずにグランドと電気的に接続することでも構成できる。
【００１２】
また、本発明は、バッテリの正極の端子と負極の端子の近傍に、容量性素子と、
情報処理装置本体のグランドと電気的に接続する手段を備え、容量性素子を介してバッテリの正極の端子と負極の端子がグランドと電気的に接続するバッテリパックを提供する。
【００１３】
さらに、バッテリの負極の端子とグランドは容量性素子を介さずに電気的に接続することでも構成できる。
【００１４】
また、本発明は、容量性素子を備え、容量性素子でバッテリの正極と負極を電気的に接続したバッテリを提供する。
【００１５】
また，本発明は，バッテリパックの各端部とバッテリの正極と負極を電気的に接続する接続部の間にグランド接続部を設けた情報処理装置を提供する。
【００１６】
また，本発明は，バッテリパックの各端とバッテリの正極と負極を電気的に接続する接続部の間で，基板端からバッテリパック長の１／４望ましくは１／５以内にグランド接続部を設けた情報処理装置を提供する。
【００１７】
【発明の実施の形態】
以下、本発明の実施例を図面に基づいて説明する。図１は、本発明による第１の実施例である。図中の回路は、バッテリ２、バッテリ２の−端子１２、バッテリ２の＋端子１３、バッテリの＋端子１３からの給電線（＋）３、バッテリの−端子１２からの給電線（−）４、バッテリからの電流を電子機器に供給するための給電端子（＋）５と給電端子（−）１１からなる。給電線（＋）３と給電線（−）４は、バッテリ２の両側の＋端子１３と−端子１２から給電端子（＋）５と給電端子（−）１１を接続し、給電端子（＋）５と給電端子（−）１１は距離を近づけて配置する。さらに、バッテリの−端子１２及び＋端子１３にコンデンサ８を挿入し、グランド１０と接続する。バッテリ電流１４は、直流であるので、コンデンサ８を通ることがでず、端子側を流れる。一方、高周波電流（ノイズ成分）１５はコンデンサ８を通りグランド１０に流れる。このため、高周波電流（ノイズ成分）の端子での反射が減り、波長が給電線の長さＬ５５に相当するの定在波が発生しにくくなり放射ノイズを抑制できる。
【００１８】
また、図４に示すようにバッテリの−端子１２及び＋端子１３にコイル４１を直列に挿入することでノイズを低減できる。高周波では、コンデンサ８よりコイル４１の方がインピーダンスが高くなるので、端子側に流れ込む高周波電流が減り、端子での反射を減らすことができる。このため、定在波が発生しにくくなり、放射ノイズを抑制できる。
【００１９】
次に、第１の実施例をノートパソコン２４に適用した例を図２に示す。図の構成は、バッテリ２、給電線（＋）３、給電線（−）４、バッテリからの電流をノートパソコン２４に供給するための給電端子（＋）５と給電端子（−）１１からなる。バッテリ２は、１個のバッテリに限らず、複数個のバッテリセルを直列又は並列に接続することでも構成でき、＋端子１３と−端子を１２を備える。接続部６は−端子１２と給電線（−）４を、接続部７は＋端子１３と給電線（＋）３を接続する部分であり、例えば、金具、金属板などで構成できる。さらに、接続部６及び７にそれぞれノートパソコン２４との接続端子２１，２２を設ける。ノートパソコン２４には、コンデンサ２３を配置し、接続端子２１，２２をコンデンサ２３を介してノートパソコン本体２４のグランド２５に接続する。グランド２５はノートパソコン基板上の信号の共通帰線（シグナルグランド）が望ましい。こうすることによって、放射ノイズが発生しにくいバッテリパック付きノートパソコンを構成できる。
【００２０】
図１１はバッテリパック付きノートパソコン２４の構成例の全体図である。バッテリパック１は、接続端子２１，２２と給電端子（＋）５と、給電端子（−）１１を備え、ノートパソコン２４はこれらと接続する接続端子１２１，１２２と給電端子１１５、１１１を備えることで構成できる。図１１では電気的な接続のみ示したが、止め具などの物理的接続のための手段、及びバッテリ制御信号線を設けてもよい。
【００２１】
次に、コンデンサをバッテリパック内に設けたバッテリパック３０とノートパソコン３４の構成例を図３に示す。図に示す構成は、バッテリ２、給電線（＋）３、給電線（−）４、バッテリからの電流をノートパソコン３４に供給するための給電端子（＋）５と給電端子（−）１１からなる。接続部６でバッテリの−端子１２と給電線（−）４を、接続部７でバッテリの＋端子１３と給電線（＋）３を接続する。さらに、コンデンサ３１を挿入し、接続部６及び接続部７とバッテリパックのグランド３２を接続する。バッテリパックのグランド３２は、例えば導体板によって構成できる。そして、バッテリパックのグランド３２とノートパソコン本体のグランド３６とを接続するための端子３５を設ける。こうすることによって、放射ノイズが発生しにくいバッテリパック付きノートパソコンを構成できる。
【００２２】
次に、給電線（−）４をコンデンサを介さずに直接グランド１０に接続した第２の実施例を図５に示す。給電線（＋）３は、図１の第１の実施例と同様に、コンデンサ８を介してグランド１０に接続する。こうすることでも、高周波電流（ノイズ成分）はグランド１０に流れ、端子での反射を減らすことができ、定在波の発生による放射ノイズを抑制できる。
【００２３】
さらに、図６に示すようにバッテリの−端子１２及び＋端子１３にコイル４１を挿入することもできる。高周波では、コンデンサ８よりコイル４１の方がインピーダンスが高くなるので、端子側に流れ込む高周波電流が減り、端子での反射を減らすことができる。このため、定在波の発生による放射ノイズを抑制できる。
【００２４】
次に、第２の実施例をノートパソコン７１に適用した例を図７に示す。ノートパソコン７１に、コンデンサ２３を配置し、接続端子２２は、コンデンサ２３を介してノートパソコン７１のグランド７５に、接続端子２１は、直接、ノートパソコン７１のグランド７５に接続する。そして、ノートパソコン７１に第１の実施例をノートパソコン２４に適用した例で説明したバッテリパック１を接続することで、放射ノイズが発生しにくいバッテリパック付きノートパソコンを構成できる。
【００２５】
さらに、コンデンサをバッテリパック８０内に設けることもできる（図８）。接続部６でバッテリの−端子１２と給電線（−）４を、接続部７でバッテリの＋端子１３と給電線（＋）３を接続する。さらに、コンデンサ３１を挿入し、接続部７とバッテリパックのグランド８２に、接続部６は、直接、バッテリパックのグランド３２に接続する。そして、接続端子３５で、バッテリパックのグランド３２とノートパソコン本体のグランド３６とを接続する。こうすることによって、放射ノイズが発生しにくいバッテリパック付きノートパソコンを構成できる。
【００２６】
また、バッテリからの電流をノートパソコン本体に供給するための給電端子をバッテリパック中央でなく、片方のバッテリ端子付近に設けることもできる。例えば、バッテリ１の−端子の近くに、＋と−の両方の給電端子を設けたバッテリパック９０の構成例を図９に示す。バッテリの−端子近くに給電端子（−）９１と給電端子（＋）９２を設け、接続部７に接続端子９３を設ける。そして、ノートパソコン９６に、コンデンサ２３を配置し、接続端子９３をコンデンサ２３を介してノートパソコンのグランド９７に接続することで構成できる。本構成例では、−端子近くに給電端子を設けたが、＋端子側に設けることもできる。また、コンデンサをバッテリパック内に設けて構成できる。
【００２７】
さらに、バッテリの＋端子と−端子をコンデンサで接続することでも構成できる。バッテリの＋端子１３と−端子１２をコンデンサで接続したバッテリパック１００の構成例を図１０に示す。バッテリ端子の接続部６と接続部７をコンデンサ３１で接続し、バッテリの−端子１２が接続される接続部６に接続端子１０１を設ける。接続端子１０１はノートパソコン１０２と接続し、ノートパソコンのグランド１０３と接続することで構成できる。本構成例では接続部６に接続端子１０１を設けたが、接続部７に接続端子を設けることもできる。
【００２８】
さらに、コンデンサはバッテリの内部に設けることもできる。＋の電極と−の電極をコンデンサで接続し、バッテリの負極の端子とグランドとを電気的に接続することで構成できる。
【００２９】
次に、第３の実施例をノートパソコンに適用した例を図１４から図２０を用いて説明する。図１４は、ノートパソコン５００にバッテリパック５０２を装着したときの状態を示したものである。本実施例のノートパソコン５００は、幅２８３ｍｍ、奥行き２３５ｍｍの携帯型形状をしており、パソコン本体の筐体５０１の外部に給電コネクタ５２０及び５２２を介してバッテリパック５０２が装着される。また、バッテリパック５０２に取り付けたグランド接続金具５３１及び５３２とパソコン本体５００に取り付けたグランド接続金具５４１及び５４２でパソコンの回路基板５１０のグランドとバッテリパック５０２のグランドを接続している。
【００３０】
図１５は、バッテリパック５０２の形状を示す図である。バッテリパック５０２は、６個の２次充電池５０５と２次充電池給電及び制御用基板５７５を保持する構造であって、長さＬが２０３ｍｍ、奥行き２４ｍｍ、高さ２１ｍｍの直方体に近い形状をしている。このバッテリパック５０２は、中央近くの端部から８５.５ｍｍの位置に給電コネクタ５２０が取り付けられている。片差しなど不完全な接続を防止するため、基板端のガイド５０７、５０８と給電コネクタ５２０の３点で保持できる様に、給電コネクタ５２０は、バッテリパック５０２中央近くに給電コネクタ５２０を配した構造となっている。また，バッテリパック端部からそれぞれ１６ｍｍ（１６／２０３＜１／５）と２６.５ｍｍ（２６．５／２０３＜１／５）の位置、即ち、バッテリパックのそれぞれの端部から全体の長さの１／５以内の位置に２次充電池給電及び制御用基板５７５のグランドに電気的に接続したグランド接続金具５３１及び５３２が取り付けられている。この接続金具５３１、５３２は、リン青銅などばね性のある薄板を凸状にした形状をしている。そのため、パソコン５００側のグランド接続金具５４１及び５４２とは、面で接触するため接触抵抗を少なくでき、高周波帯域でも接触部が低インピーダンスとなるようにしてある。
【００３１】
図１６は、パソコン５００側のグランド接続金具５４１の取り付け状態を示す図である。グランド接続金具５４１は、パソコンの回路基板５１０とは、ねじ穴５４５で固定される。このときパソコンの回路基板５１０側のネジ穴部５４５にはグランドのパッド部５１９が設けてあり、ネジで回路基板５１０とグランド接続金具５４１を固定することで、高周波帯域でも低インピーダンスで回路基板５１０とグランド接続金具５４１が接続される。また、グランド接続金具５４１は、バッテリ側のグランド接続金具５３１、５３２と同様にリン青銅などのばね性ある薄板でできていて、その先端はΩ状の形状をしている。Ω状の部分は、筐体５０１に開けた窓から外部に突き出すような構造になっている。このような構造にすることで、バッテリパック５０２が装着されたときに、Ω状部がバッテリ側のグランド接続金具５３１に押しつぶされた形で接触し、高周波帯域でも低インピーダンスでパソコン５００側の回路基板とバッテリパック５０２側の２次充電池給電及び制御用基板５７５を接続できる。
【００３２】
図１７は、バッテリパック５０２側の２次充電池給電及び制御用基板５７５の配線状態を示す図である。基板５７５は、信号配線層５７６とグランド層５７７の２層構造をした基板である。信号配線層５７６には、、給電コネクタ５２０から＋端子用配線５７８と−端子用配線５７９が配線されている。この＋端子用配線５７８と−端子用配線５７９は、２次充電池５０５に接続している。また、基板５７５には、グランド接続金具５３１及び５３２と接続するためのグランドパッド５３３、５３４が設けてある。グランド層５７７は、基板内設けた電池制御用回路の基準電位を与えるもので、プレーン形状をしている。
【００３３】
図１８にバッテリパック５０２のノイズ発生モデルを示す。図１７の＋端子用配線５７８と−端子用配線５７９は、２次充電池５０５の＋端子及び−端子にそれぞれ給電するため左右に反対方向に配線する構造となり、本発明の構造をとらなかった場合，そのままでは半波長ダイポールアンテナとしてノイズ放射源となってしまう。一方、グランド層５７７は、パッド５３３、５３４を介して、パソコン本体のグランドに低インピーダンスで接続している。また、＋端子用配線５７８と−端子用配線５７９は、プレーン構造のグランド層５７７とは、マイクロストリップライン構造になっていて、＋端子用配線５７８と−端子用配線５７９とグランド層５７７が容量性結合をしている。＋端子用配線５７８と−端子用配線５７９は、大電流を流すので一般的には、幅の広い配線となっているため、端子配線５７８、５７９とグランド層５７７間の容量は、十分大きく、両者は高周波的には低インピーダンスで結合している。そのため、端子配線５７８、５７９とパソコンのグランドは、高周波帯域でも低インピーダンスで結合することができる。これによって、給電コネクタ５２０から侵入したノイズは、グランド接続部（５３１−５４１、５３２−５４２）を経由して、低減される。
【００３４】
次に、グランド接続（５３１−５４１、５３２−５４２）からパソコン側に戻らないノイズ成分について，２つの周波数における放射効率を計算した結果を図１９に示す。この図の縦軸は，半波長ダイポールアンテナの放射電力を基準に，アンテナ長を変えたときの放射電力をデシベル表示したものである。横軸は，バッテリパックの半分の長さ１／２Ｌを１として，長さの比を取っている。なお，この放射電力の値の計算は，理想的なダイポールアンテナにおける電力値を用いている。放射電力の値は，対象となる周波数での表皮深さによって異なるため，図１９のグラフでは放射電力の値に幅が出ている。グランド接続（５３１−５４１、５３２−５４２）の位置が，バッテリパックの１／４（Ｘ軸では，０．５）のときに，ワーストケースで計算しても，−２０ｄＢ程度に放射効率が下がり，グランド接続（５３１−５４１、５３２−５４２）の位置よりも部外側がアンテナになっても問題はない。
【００３５】
また、端子配線５７８、５７９に発生する定在波については、パッド５３３、５３４の点でグランドに接続するため，電圧波形がこの点で節となることから，波長が基本波の１／５以下の波（周波数は５倍）が主成分になる。しかしながら，ディジタル回路で使われる台形波の場合，基本波の１／５以下は減衰が大きいため，１／５の波長のノイズの放射の影響は小さくなる。
【００３６】
図２０に本実施例を実際の試作機を用いて効果を測定した結果を示す。バッテリパックサイズは，図１５に示したものと同じで，本体への取り付け方法及び構造は，図１４に示したものである。図２０の（ａ）は，バッテリパック端部にグランドを設けていない従来のバッテリパックの放射ノイズを電波暗室で３ｍ法で測定した結果である。また，同図（ｂ）は，バッテリパック端部にグランドを設けた本実施例の構造のバッテリパックの放射ノイズを電波暗室で３ｍ法で測定した結果である。この結果から，本発明を用いない場合では，バッテリパック長を半波長としたアンテナの共振周波数（バッテリパック長０．２ｍ，誘電率４．６とすると共振周波数は３５０ＭＨｚ）に近い３００ＭＨｚ付近で，放射ノイズがピークを持っているのに対して，本発明を用いた構造では，３００ＭＨｚ帯の放射ノイズが殆ど出ていないことが確認できる。このことから，本発明を用いた構造によって，１５〜２０ｄＢのノイズを低減出来ることがわかる。
【００３７】
このように，グランド接続（５３１−５４１、５３２−５４２）を設け，パソコン５００の回路基板５１０のグランドと低インピーダンスで接続することで，定在波が発生し難くなる。さらに，バッテリパック端部からバッテリパック長の１／４〜１／５以内にグランド接続する事で，放射効率の悪いアンテナにする事が出来，ノイズを低減できる。さらに，放射ノイズの発生しやすい周波数帯を基本ディジタル信号波で減衰の大きい高次の高調波に移動させることで，ノイズを低減できる。
【００３８】
【発明の効果】
本発明によれば、バッテリ端子を容量性素子でグランドすることにより、バッテリ端子間で発生する定在波の発生を抑え、放射ノイズを低減したバッテリで動作可能な情報処理装置を提供できる。
【図面の簡単な説明】
【図１】  本発明の第１の実施例を説明する図である。
【図２】コンデンサをノートパソコン内に設けて構成した第１の実施例である。
【図３】コンデンサをバッテリ内に設けて構成した第１の実施例である。
【図４】コイルを用いて構成した第１の実施例である。
【図５】本発明の第２の実施例を説明する図である。
【図６】コイルを用いて構成した第２の実施例である。
【図７】コンデンサをノートパソコン内に設けて構成した第２の実施例である。
【図８】コンデンサをバッテリ内に設けて構成した第２の実施例である。
【図９】片方のバッテ端子に給電端子があるバッテリパックに弟２の実施例を適用した例である。
【図１０】バッテリの＋端子と−端子をコンデンサで接続することでも構成した第２の実施例である。
【図１１】本発明による第１の実施例の全体図である。
【図１２】解決しようとする課題を説明する図である。
【図１３】給電線の電流分布である。
【図１４】ノートパソコンとバッテリを接続した状態を示す構造図である。
【図１５】バッテリパック外形図である。
【図１６】パソコン側のグランド接続金具の取り付け状態を示す図である。
【図１７】バッテリパック内部の２次充電池給電及び制御用基板の構造を示す図である。
【図１８】実施例３のノイズ低減の原理を示す図である。
【図１９】ダイポールアンテナのアンテナ長と給電効率の関係を示すグラフである。
【図２０】本発明によるノイズ低減の効果を示す図である。
【符号の説明】
１・・・バッテリパック  ２・・・バッテリ  ３・・・給電線（＋）  ４・・・給電線（−）
５・・・給電端子（＋）６・・・接続部７・・・接続部  ８・・・コンデンサ  １０・・・グランド
１１・・・給電端子（−）  １２・・・バッテリの−端子  １３・・・バッテリの＋端子
１４・・・バッテリ電流  １５・・・高周波電流（ノイズ成分）
２１・・・接続端子  ２２・・・接続端子  ２３・・・コンデンサ  ２４・・・ノートパソコン  ２５・・・パソコン本体のグランド
３０・・・バッテリパック  ３１…コンデンサ  ３２…バッテリパックのグランド
３４・・・ノートパソコン  ３５・・・接続端子  ３６・・・ノートパソコン本体のグランド
４１・・・コイル
５０・・・バッテリパック  ５１・・・バッテリ端子(＋)  ５２・・・バッテリ端子(−)
５３・・・給電線(−線)  ５４・・・給電線(＋線)  ５５・・・給電線の長さＬ ５6・・・バッテリ  ５７・・・供給端子 ５８・・・ノートパソコン本体
７１・・・ノートパソコン  ７５・・・ノートパソコンのグランド
８０・・・バッテリパック  ８２・・・バッテリパックのグランド
９０・・・バッテリパック  ９１・・・給電端子（−）  ９２・・・給電端子（＋）  ９３・・・接続端子９６・・・ノートパソコン  ９７・・・ノートパソコンのグランド
１００・・・バッテリパック  １０１・・・接続端子  １０２・・・ノートパソコン  １０３・・・ノートパソコンのグランド
１２１・・・接続端子  １２２・・・接続端子  １１５・・・給電端子  １１１・・・給電端子
５００・・・ノートパソコン ５０１・・・ノートパソコン本体筐体 ５０２・・・バッテリパック
５０５・・・2次充電池  ５０７、５０８・・・バッテリパック装着ガイド
５１０・・・パソコンの回路基板
５１９・・・グランドのパッド部
５２０・・・給電コネクタ（バッテリ側） ５２２・・・給電コネクタ（パソコン側）
５３１、５３２・・・グランド接続金具（バッテリ側）
５３２、５３３、５３４・・・グランドパッド
５４１、５４２・・・グランド接続金具（パソコン側）
５４５・・・ネジ穴部
５７５・・・２次充電池給電及び制御用基板
５７６・・・信号配線層  ５７７・・・グランド層
５７８・・・＋端子用配線５７８ ５７９・・・−端子用配線
【図１】
0003829552.tif 000002
【図２】
0003829552.tif 000003
【図３】
0003829552.tif 000004
【図４】
0003829552.tif 000005
【図５】
0003829552.tif 000006
【図６】
0003829552.tif 000007
【図７】
0003829552.tif 000008
【図８】
0003829552.tif 000009
【図９】
0003829552.tif 000010
【図１０】
0003829552.tif 000011
【図１１】
0003829552.tif 000012
【図１２】
0003829552.tif 000013
【図１３】
0003829552.tif 000014
【図１４】
0003829552.tif 000015
【図１５】
0003829552.tif 000016
【図１６】
0003829552.tif 000017
【図１７】
0003829552.tif 000018
【図１８】
0003829552.tif 000019
【図１９】
0003829552.tif 000020
【図２０】
0003829552.tif 000021